(57)【要約】      （修正有）【課題】簡単な構造で傘布の面積を有効に利用できる洋傘を提供する。【解決手段】軸棒４の延長方向に設けた取付穴７を有した掌の中に納まる大きさの洋傘の柄２において柄２は厚さ有する辺ａｂｃｄｅの五角形を形成して前記辺ａ部には軸棒方向ｙと前記辺ｂの交角αを有する取付穴７を設けており、辺ｂに掌の面を沿わせて握持することで軸棒の上端部が使用者の側に傾斜するように設置されており、傘布の中心を使用者の側に位置させる。【選択図】図３
2017038898.tif 000002
【特許請求の範囲】
【請求項１】
軸棒４の延長ｙ方向に設けた取付穴７を有した掌の中に納まる大きさの洋傘の柄２において、柄２は厚さｔを有する辺ａｂｃｄｅの五角形を形成し、前記ａ部には軸棒方向ｙと前記辺ｂの交角αを有する取付穴７を設けており、辺ｂに掌の面８を沿わせて握持することで軸棒の上端部１０が使用者Ａの側に傾斜するように取り付けられていることを特徴とする。
【請求項２】
また、請求項１に記載の発明は丸棒状の把持部５とそれに続く略半円形状の湾曲部６を備える洋傘の柄３において、把持部５には厚さｖを有する点ｇｈｉｊｋｌを結ぶ段丘状の突起部９を設けている。また、前記突起部９は点ｈと点ｌを結ぶ方向Ｘと軸棒の軸方向Ｙが交角βを有しており、掌の面を把持部に沿わせた状態で把持部を握持することで軸棒の上端部を使用者Ａの側に傾斜させることを特徴とする。
【発明の詳細な説明】
【技術分野】
【０００１】  本発明は洋傘の柄に関するものである。
【背景技術】  従来洋傘の柄１は、軸棒４の端部に取り付けられた図１に例示するものが一般的で、丸棒状の把持部５とそれに続く略半円形状の湾曲部６を備えている。他に折りたたみ傘の場合は、略掌の中に納まる大きさの短筒状のものがある。使用するには、取り付けられた柄１の把持部５の棒状部分を鉛直方向に手で持って行われる。この場合、傘布の区域は持った手を中心に広がっており、使用者Ａは傘布の中心Ｂから偏心して位置しているため把持部５から遠い部分が雨にぬれる等の問題があった。また、風雨の強い際には手元がぐらついて安定性が悪いなどの問題もあった。
【先行技術文献】
【特許文献】
【特許文献１】特開２００６−５１３２６号
【特許文献２】実第３０２２６４２号
【発明の概要】
【発明が解決しようとする課題】
【０００２】  本発明は、簡単な構造で、軸棒４の上端部１０を使用者Ａの側に傾斜させて、傘布の中心Ｂと使用者Ａの間隔Ｋを小さくして傘布の面積を有効に利用できることと、すべりにくい、ぐらぐらしない洋傘の柄を提供することを目的とする。（選択図２）
【課題を解決するための手段】
【０００３】  上記の問題を解決するため請求項１に記載の発明は軸棒４の延長方向に設けた取付穴７を有した掌の中に納まる大きさの洋傘の柄２において柄２は厚さｔを有する辺ａｂｃｄｅの五角形を形成して前記辺ａ部には軸棒方向ｙと前記辺ｂの交角αを有する取付穴７を設けており、辺ｂに掌の面８を沿わせて握持することで軸棒の上端部１０が使用者Ａの側に傾斜するように設置されており、傘布の中心Ｂを使用者Ａの側Ｂ´に位置させることを可能にしている。（選択図１．３．４．５）【０００４】  また、請求項２に記載の発明は、丸棒状の把持部５とそれに続く略半円形状の湾曲部６を備える洋傘の柄３において、把持部５には厚さｖを有する点ｇｈｉｊｋｌを結ぶ段丘上の突起部９を設けている。また前記突起部は点ｈと点ｌを結ぶ方向Ｘと軸棒の軸方向Ｙが交角βを有しており、掌の面８を把持部５に沿わせた状態で把持部５を握持することで軸棒の上端部１０を使用者Ａの側に傾斜させて傘布の中心を使用者Ａの側Ｂ´に位置させることを可能にしている。（選択図１．６．７．８．９）
【発明の効果】
【０００５】  以上のように本発明にかかる洋傘の柄２、柄３によれば、簡単な構造で傘布の中心を使用者の側に位置させることで、例えば、区域Ｃ´に示すように傘布の面積を有効に利用できる効果がある。また、断面が円形ではないため、すべりにくく、安定して保持できる効果がある。
【図面の簡単な説明】
【０００６】
【図１】  洋傘の正面図である。
【図２】  洋傘の使用状態を示す平面図である。
【図３】  洋傘の柄２の正面図である。
【図４】  洋傘の柄２と掌の配置を示す斜視図である。
【図５】  洋傘の柄２を握持した状態を示す斜視図である。
【図６】  洋傘の柄３の正面図である。
【図７】  洋傘の柄３のＺ−Ｚ´断面図である。
【図８】  洋傘の柄３と掌の配置を示す斜視図である。
【図９】  洋傘の柄３を握持した状態を示す斜視図である。
【発明を実施するための形態】
【０００７】  以上発明の実施の形態について図面を参考にしながら説明する。
［図１］  洋傘の正面図である。
［図２］  使用者Ａと傘布の中心Ｂ、Ｂを中心とする傘布の区域Ｃと軸棒の上端部１０を使用者Ａの側に傾斜させ使用者Ａと傘布の中心Ｂとの間隔Ｋを小さくした傘布の中心Ｂ´とＢ´を中心とする傘布の区域Ｃ´を示す平面図。
［図３］  洋傘の柄２の正面図で柄２は辺ａｂｃｄｃの五角形を形成している。また、辺ａ部には軸棒方向ｙと前記辺ｂの交角αを有する取付穴７を設けている。また、本発明は計変更可能であって、形状は略五角形で角部分は面取りをして握りやすくする。また、辺ｂを除いて、例えば、矩形あるいは半円形にするのもよい。
［図４］  洋傘の柄２の辺ｂに掌の面８を沿わせた状態を示す斜視図である。
［図５］  洋傘の柄２の辺ｂに掌の面８を沿わせて握持することで軸棒４の上端部１０が使用者Ａの側に傾斜する。
［図６］  洋傘の柄３の正面図で点ｇｈｉｊｋｌを結ぶ段丘状にした手の平幅超の長さＬを有する突起部９を設けている。突起部の点ｈと点ｌを結ぶ方向Ｘと軸棒の軸方向Ｙが交角βを有している。
［図７］  洋傘の柄３の断面図で突起部９の厚さｔを把持部の径ｕの略１／２の厚さにしている。
［図８］  洋傘の柄３と掌の配置を示している。
［図９］  洋傘の柄３の把持部５に掌の面８を沿わせた状態で握持することで軸棒４の上端部１０が使用者Ａの側に傾斜する。
【符号の説明】
【０００８】    １    洋傘の柄
２    洋傘の柄２
３    洋傘の柄３
４    軸棒
５    把持部
６    湾曲部
７    取付穴
８    掌の面
９    突起部
１０  上端部
Ａ    使用者
Ｂ    傘布の中心
Ｃ    傘布の区域
Ｄ    傘布
Ｂ´  傘布の中心
Ｃ´  傘布の区域
Ｘ    点ｈと点ｌを結ぶ方向
Ｙ    把持部の方向
ｙ    軸棒方向
Ｚ−Ｚ´  把持部の断面
ａ    五角形を形成する辺
ｂ    五角形を形成する辺
ｃ    五角形を形成する辺
ｄ    五角形を形成する辺
ｅ    五角形を形成する辺
ｆ    段丘状を形成する点
ｇ    段丘状を形成する点
ｈ    段丘状を形成する点
ｉ    段丘状を形成する点
ｊ    段丘状を形成する点
ｋ    段丘状を形成する点
ｌ    段丘状を形成する点
Ｌ    突起部の長さ
ｔ    柄２の厚さ
ｕ    把持部の径
ｖ    柄３の突起部の厚さ
α    取付穴の方向と辺ｂの交角
β    突起部の点ｈと点ｌを結ぶ方向Ｘと把持部の方向Ｙとの交角
【図１】
2017038898.tif 000003
【図２】
2017038898.tif 000004
【図３】
2017038898.tif 000005
【図４】
2017038898.tif 000006
【図５】
2017038898.tif 000007
【図６】
2017038898.tif 000008
【図７】
2017038898.tif 000009
【図８】
2017038898.tif 000010
【図９】
2017038898.tif 000011